(57)【要約】      （修正有）【課題】蛍光ランプを破損することなく容易に蛍光ランプを着脱することができ、かつ、全体を細くすることができる照明器具を提供する。【解決手段】蛍光ランプ２０を器具本体１１に対して接近させることにより、ランプソケット３０に設けられた棒状部材３５の先端３５３が、口金部２２に設けたハート型経路２４の開口２４１からハート型経路２４に進入し、ハート型経路２４に沿って移動する。そして、蛍光ランプ２０を器具本体１１に対して接近させた後に弾性部材３３の付勢力により離反させると、棒状部材３５の先端３５３がハート型経路２４の中心に設けられている係止部に係止され、蛍光ランプ２０はランプソケット３０により強力に保持される。【選択図】図４
2010108644.tif 000002
【特許請求の範囲】
【請求項１】
直管の蛍光管の両端部付近の外周面に設けられた各口金部から突出して設けられた一対のランプピンを有する蛍光ランプと、
前記ランプピンを保持して電力を供給する一対のランプソケットと、を有する照明器具であって、
前記ランプソケットには、前記口金部方向へ延伸し先端部が蛍光管の軸方向に直交する方向に沿って内側に折り曲げられた一対の棒状部材が、前記軸方向へ弾性変形可能に設けられ、
前記口金部における前記軸方向に直交する方向の両側面には、前記棒状部材の前記先端部が移動可能なハート型経路が、その先端を前記ランプソケット側に開口して凹設されており、
前記ハート型経路の中心には前記棒状部材の前記先端部が係止される係止部が設けられ、
前記口金部と前記ランプソケットとを離反させる弾性部材が設けられていることを特徴とする照明器具。
【請求項２】
一対の前記棒状部材は前記ランプピンと平行に設けられており、前記ランプピンは前記蛍光管の軸方向に直交する方向に設けられていることを特徴とする請求項１記載の照明器具。
【請求項３】
前記弾性部材が、一対の前記棒状部材を結ぶ直線上に配置されていることを特徴とする請求項１または２記載の照明器具。
【請求項４】
前記口金部から幅方向外側へ突出する凸部を設けるとともに、前記ランプソケットに前記凸部を係止する支持バネを設け、
前記口金部が前記ランプソケットに当接する前に前記支持バネの先端が前記凸部を係止することを特徴とする請求項１ないし請求項３のいずれかに記載の照明器具。
【発明の詳細な説明】
【技術分野】
【０００１】
本発明は、直管蛍光ランプを用いた照明器具に関するものである。
【背景技術】
【０００２】
従来より、直管の蛍光管の軸方向に対して直交する方向へ突出して設けられた一対のランプピンを有する蛍光ランプが用いられている照明器具が提案されている（例えば特許文献１参照）。
【０００３】
図１３（Ａ）に示すように、蛍光ランプ１００は、棒状の蛍光管１０１の周面すなわち主発光面に口金部１０２が取り付けられている。口金部１０２は、主発光面に固着された口金部本体１０３と、口金部本体１０３上に主発光面に対して直交方向（下方）に立設された２本のランプピン１０４を備えている。
【０００４】
また、口金部本体１０３は、ランプピン１０４と略平行に延びる係止用突出部１０５を有している。図１３（Ｂ）に示すように、係止用突出部１０５は、下端に略円柱状の頭部１０６と、頭部１０６の上方に連接する首部１０７を有している。
【０００５】
従って、上述した蛍光ランプ１００をランプソケットに取り付けるには、先ず、蛍光ランプ１００の係止用突出部１０５の頭部１０６を、ランプソケットの弾性部材からなる保持部により保持するとともに、ランプピン１０４をランプソケットのスロットに挿入する。
また、蛍光ランプ１００を逆方向に引き抜くことにより、蛍光ランプ１００を取り外すことができる。
【特許文献１】特開２００８−１１７６８２号公報（第１図）
【発明の開示】
【発明が解決しようとする課題】
【０００６】
しかしながら、前述したような照明器具においては、ランプピン１０４をランプソケットに押し込むとともに、弾性部材により蛍光ランプ１００の口金部１０２を保持しており、蛍光ランプ１００の落下を防止するために、弾性部材によってしっかりと口金部１０２を保持している。
【０００７】
このため、蛍光ランプ１００を取り外す際には、ある程度大きな力で蛍光管を把持して引き抜くことが必要となり、発光管の中央部を引っ張る等、力を加える場所が適正でないと、蛍光ランプを破損してしまうおそれがあるという問題があった。
また、口金部周辺に十分な作業スペースが必要とされるため、照明器具を細くするのが困難であるという問題があった。
【０００８】
本発明は、従来の問題を解決するためになされたもので、蛍光ランプを破損することなく容易に蛍光ランプを着脱することができ、かつ、全体を細くすることができる照明器具を提供することを目的とする。
【課題を解決するための手段】
【０００９】
本発明の照明器具は、直管の蛍光管の両端部付近の外周面に設けられた各口金部から突出して設けられた一対のランプピンを有する蛍光ランプと、前記ランプピンを保持して電力を供給する一対のランプソケットと、を有する照明器具であって、前記ランプソケットには、前記口金部方向へ延伸し先端部が蛍光管の軸方向に直交する方向に沿って内側に折り曲げられた一対の棒状部材が、前記軸方向へ弾性変形可能に設けられ、前記口金部における前記軸方向に直交する方向の両側面には、前記棒状部材の前記先端部が移動可能なハート型経路が、その先端を前記ランプソケット側に開口して凹設されており、前記ハート型経路の中心には前記棒状部材の前記先端部が係止される係止部が設けられ、前記口金部と前記ランプソケットとを離反させる弾性部材が設けられている構成を有している。
【００１０】
この構成により、蛍光ランプを器具本体に対して接近させることにより、ランプソケットに設けられた棒状部材の先端が、口金部に設けたハート型経路の開口からハート型経路に進入し、ハート型経路に沿って移動する。そして、蛍光ランプを器具本体に対して接近させた後に弾性部材の付勢力により離反させると、棒状部材の先端がハート型経路の中心に設けられている係止部に係止され、蛍光ランプはランプソケットにより強力に保持される。係止された状態から蛍光ランプを器具本体に対して接近させると、棒状部材の先端部は係止部から脱する。そして、弾性部材の付勢力により蛍光ランプを器具本体から離反させると、先端部はハート型経路の開口から外部に離脱するので、蛍光ランプはランプソケットから取り外される。
蛍光ランプを器具本体に対して接近させる際には、口金部が設けられている蛍光ランプの端部付近を押圧する。また、蛍光ランプを器具本体に対して離反させる際には、弾性部材の付勢力および蛍光ランプの自重により離反させる。
このため、蛍光ランプの着脱時には、蛍光ランプを押圧するだけなので、容易に蛍光ランプを着脱することができる。また、蛍光管を把持する必要がないので、着脱の際の作業スペースがほとんど必要なく、全体を細くすることができる。
【００１１】
また、本発明の照明器具は、一対の前記棒状部材は前記ランプピンと平行に設けられており、前記ランプピンは前記蛍光管の軸方向に直交する方向に設けられている構成を有している。
【００１２】
この構成により、ランプピンを蛍光管に対して直交方向に配置し、その直線上に棒状部材を設けたので、蛍光ランプの着脱時の押し操作によって蛍光ランプが傾くのを抑制することができ、着脱操作がより確実にできる。
【００１３】
また、本発明の照明器具は、前記弾性部材が、一対の前記棒状部材を結ぶ直線上に配置されている構成を有している。
【００１４】
この構成により、弾性部材が、一対の棒状部材を結ぶ直線上に配置されているので、口金部を固定する係止部も直線上に配置され、蛍光ランプの着脱操作における力のバランスがよく、操作感触が向上する。
【００１５】
さらに、本発明の照明器具は、前記口金部から幅方向外側へ突出する凸部を設けるとともに、前記ランプソケットに前記凸部を係止する支持バネを設け、前記口金部が前記ランプソケットに当接する前に前記支持バネの先端が前記凸部を係止する構成を有している。
【００１６】
この構成により、口金部とランプソケットが当接する前に、口金部に設けられた凸部を支持バネが係止するので、蛍光ランプの仮保持が可能となり、蛍光ランプの落下に対する安全性が向上する。
【発明の効果】
【００１７】
本発明は、蛍光ランプを器具本体に対して接近させる際には、口金部が設けられている蛍光ランプの端部付近を押圧する。また、蛍光ランプを器具本体に対して離反させる際には、弾性部材の付勢力および蛍光ランプの自重により離反させる。このため、蛍光ランプの着脱時には、蛍光ランプを押圧するだけなので、容易に蛍光ランプを着脱することができる。また、蛍光管を把持する必要がないので、着脱の際の作業スペースがほとんど必要なく、全体を細くすることができるという効果を有する照明器具を提供することができるものである。
【発明を実施するための最良の形態】
【００１８】
以下、本発明の実施の形態の照明器具について、図面を用いて説明する。
【００１９】
図１は本発明の実施形態にかかる照明器具の斜視図、図２は本発明の実施形態にかかる照明器具に蛍光ランプを装着する前の状態を示す斜視図、図３はランプソケットの分解斜視図、図４は蛍光ランプを装着する前状態の正面図および側面図、図５（Ａ）はハート型経路の正面図、図５（Ｂ）は図５（Ａ）中Ｂ−Ｂ位置の断面図、図５（Ｃ）は図５（Ａ）中Ｃ−Ｃ位置の断面図、図６〜図９は蛍光ランプを装着する途中状態の正面図および側面図、図１０は蛍光ランプの装着が完了した状態を示す正面図および側面図、図１１は蛍光ランプを取り外す状態を示す正面図および側面図、図１２は蛍光ランプをランプソケットから外した仮保持状態を示す正面図および側面図である。
【００２０】
図１および図２に示すように、実施形態にかかる照明器具１０は、直管の蛍光管２１の両端部付近の外周面に設けられた各口金部２２から突出して設けられた一対のランプピン２３を有する蛍光ランプ２０と、ランプピン２３を保持して電力を供給する一対のランプソケット３０と、を有する。一対のランプソケット３０、３０は、照明器具本体１１に所定の間隔で設けられている。
【００２１】
図３に示すように、ランプソケット３０は、上面が開口した矩形箱状のランプソケット本体３１、ランプソケット本体３１の内部空間に収容される一対の端子板３２、口金部２２をランプソケット３０から離反させる弾性部材３３、ランプソケット本体３１の上面の開口を覆うカバー３４、棒状部材３５および口金部２２を保持する支持バネ３６を有している。
【００２２】
ランプソケット本体３１の下面３１１には、ランプピン２３が下側から上方へ貫通する一対の切欠き３１２、３１２と、弾性部材３３が貫通して上下移動するための矩形の窓３１３が設けられている。また、ランプソケット本体３１の側面３１４における窓３１３の横には、棒状部材３５が回動するための回動凹部３１５が、下方に広がる扇状に設けられている。
【００２３】
端子板３２は、軸方向外側（図３において左側）に、照明器具本体１１に取付けられている点灯装置（図示省略）からの電線が接続される連結端子部３２１を有し、軸方向中心側にはランプピン２３を保持して通電するランプピン保持部３２２を有する。ランプピン保持部３２２はランプソケット本体３１の切欠き３１２の上側に配置され、下方から上昇してくるランプピン２３を容易に保持できるように、下端部３２３が外側に拡がっている。
【００２４】
弾性部材３３は、上面が開口した矩形箱状のケース３３１と、ケース３３１の内部空間に収容され、ケース３３１を下方へ付勢するスプリング３３２を有する。弾性部材３３は、棒状部材３５の一対の支持部３５２を結ぶ直線上に配置されている。
【００２５】
カバー３４は、ランプソケット本体３１の上面の開口を覆う部材であり、下面３４１にはスプリング３３２の上端を嵌合して位置決めするスプリング保持部３４２が設けられている。カバー３４の側面３４３には、棒状部材３５の回動を許容する回動用凹部３４４が設けられている。また、回動用凹部３４４の上部には、左右の回動用凹部３４４を連結し、棒状部材３５の上部３５１が嵌合して回動可能に位置決めされる嵌合凹部３４５が設けられている。
【００２６】
棒状部材３５は、円形断面の弾性部材を折り曲げて、下方に開口した全体Ｃ字形状に形成されている。すなわち、上部３５１の左右両端から下方に向けて一対の支持部３５２が形成されており、支持部３５２の先端を内側へ折り曲げて係合部（先端部）３５３が形成されている。すなわち、係合部３５３は、一対の支持部３５２を結ぶ直線上に配置されている。
【００２７】
棒状部材３５の上部３５１は、カバー３４の上面に設けられている嵌合凹部３４５に嵌合して位置決めされ、左右の支持部３５２は、ランプソケット本体３１の側面３１４の回動凹部３１５に収容される。また、棒状部材３５の下端の係合部３５３は、ランプソケット本体３１の下方に突出する（図４参照）。なお、棒状部材３５は、ランプピン２３と平行に設けられている。
【００２８】
支持バネ３６は、板バネ部材により全体Ｃ字形状に形成されており、左右の下端部には、内側に突出する保持部３６１が設けられている。図４に示すように、支持バネ３６は、カバー３４の上方からランプソケット本体３１に被せられ、先端部はランプソケット本体３１の下方に突出している。
【００２９】
図４に示すように、口金部２２の上面２２１には、一対のランプピン２３が植設されており、ランプピン２３は蛍光管２１の軸方向に直交する方向に設けられている。口金部２２の側面２２２には、幅方向外側へ突出する凸部２２３が設けられている。凸部２２３は、支持バネ３６の先端の保持部３６１により保持される。
口金部２２の側面２２２には、棒状部材３５の先端部の係合部３５３が移動可能なハート型経路２４が凹設されている。ハート型経路２４は、ハート型の先端を上にして設けられており、先端が口金部２２の上面２２１に開口（開口部２４１）している。
【００３０】
図５（Ａ）に示すように、ハート型経路２４は、先端（上端）に開口部２４１を有し、中央にはハート型のアイランド２４２が設けられていて、全体ハート型の経路が凹設されている。アイランド２４２の下部中央には、係止部２４４が凹設されている。また、経路２４には、２箇所に段部２４５、２４６が設けられている。
【００３１】
次に、蛍光ランプ２０を照明器具本体１１のランプソケット３０に装着する動作について説明する。
【００３２】
図４には、蛍光ランプ２０をランプソケット３０に装着する前の状態が示されている。支持バネ３６が最も下方に突出しており、棒状部材３５および弾性部材３３も下方に突出している。
【００３３】
次いで、図６に示すように、蛍光ランプ２０を上昇させてランプソケット３０に接近させると、ランプソケット３０の支持バネ３６の先端の保持部３６１が、口金部２２の上端の凸部２２３に当接する。この状態で、一旦停止する。
【００３４】
次いで、図７に示すように、さらに蛍光ランプ２０を上昇させると、支持バネ３６の保持部３６１が口金部２２の凸部２２３を乗り越える。これにより、蛍光ランプ２０はランプソケット３０に仮保持されるので、落下が防止される。
さらに蛍光ランプ２０を上昇させると、棒状部材３５の先端の係合部３５３が、開口部２４１からハート型経路２４に進入し、弾性部材３３の下端面が口金部２２の上面２２１に当接する。
【００３５】
さらに蛍光ランプ２０を上昇させると、図８に示すように、棒状部材３５の係合部３５３がハート型経路２４の中央に設けられているハート型のアイランド２４２の尖った先端（上端）に当接する。このとき、図５（Ａ）に示すように、開口部２４１から経路２４に進入すると、係合部３５３は段部２４５の作用によってアイランド２４２の左側の経路へ進む（図５（Ａ）中矢印Ａ）。これに伴い、棒状部材３５の支持部３５２が矢印の方向へ弾性変形して回動する。
このとき、ランプピン２３はランプソケット本体３１の下面３１１に設けられている切欠き３１２を貫通して、端子板３２のランプピン保持部３３２に挿入されて保持され、導通する。
【００３６】
さらに蛍光ランプ２０を上昇させると、図９に示すように、棒状部材３５の係合部３５３は、ハート型経路２４の下端部２４３に達する（図５（Ａ）中矢印Ｂ）とともに、口金部２２の上面２２１がランプソケット３０の下面３１１に当接する。従って、これ以上蛍光ランプ２０は上昇しない。
【００３７】
図９に示した状態で手を放すと、図１０に示すように、弾性部材３３のスプリング３３２の弾性力により口金部２２を下降させてランプソケット３０から離反させる。このとき、棒状部材３５は、自身の弾性力により真下向きに移動するので、棒状部材３５の係合部３５３はハート型経路２４のアイランド２４２に設けられている係止部２４４により保持される（図５（Ａ）中矢印Ｃ）。これにより、蛍光ランプ２０はランプソケット３０に装着される。
【００３８】
次に、装着されている蛍光ランプ２０をランプソケット３０から取り外すには、図１１に示すように、蛍光ランプ２０を再度上昇させる。これにより、棒状部材３５の係合部３５３が下端部２４７に達するとともに、口金部２２の上面２２１がランプソケット３０の下面３１１に当接する。従って、これ以上蛍光ランプ２０は上昇しない。
【００３９】
次いで、蛍光ランプ２０から手を放すと、弾性部材３３の弾性力および蛍光ランプ２０の自重により、蛍光ランプ２０は下降する。このとき、棒状部材３５の係合部３５３が上昇するが、経路２４に設けられている段部２４６に当接するため、図１１（Ａ）に示すように矢印方向へ回動しながら移動して、アイランド２４２の右の経路を進む（図５（Ａ）中矢印Ｄ）。
【００４０】
そして、図１２に示すように、係合部３５３が経路２４を進んで開口部２４１に達すると（図５（Ａ）中矢印Ｅ）、係合部３５３は経路２４から離脱する。このとき、支持バネ３６の保持部３６１が、口金部２２の凸部２２３を仮保持しているので、蛍光ランプ２０は落下しない。
蛍光ランプ２０を取り外すには、支持バネ３６の保持部３６１から口金部２２の凸部２２３を引き下げて、仮保持状態を脱する。
【００４１】
以上、説明した実施形態にかかる照明器具１０によれば、蛍光ランプ２０をランプソケット３０に対して押し付けることにより、ランプソケット３０に設けられた棒状部材３５の係合部３５３が、口金部２２に設けたハート型経路２４の開口部２４１からハート型経路２４に進入して係止される。一方、蛍光ランプ２０を取り外す際にも、蛍光ランプ２０をランプソケット３０に押し付ける。このため、蛍光ランプ２０の着脱時には、蛍光ランプ２０を押圧するだけなので、容易に蛍光ランプ２０を着脱することができる。また、蛍光管２１を把持する必要がないので、着脱の際の作業スペースがほとんど必要なく、全体を細くすることができる。
【００４２】
また、ランプピン２３を蛍光管２１に対して直交方向に配置し、その直線上に棒状部材３５を設けたので、蛍光ランプ２０の着脱時の押し操作によって蛍光ランプ２０が傾くのを抑制することができ、着脱操作がより確実にできる。
【００４３】
また、弾性部材３３が、一対の棒状部材３５を結ぶ直線上に配置されているので、口金部２２を固定する係止部２４４も直線上に配置され、蛍光ランプ２０の着脱操作における力のバランスがよく、操作感触が向上する。
【００４４】
また、口金部２２とランプソケット３０が当接する前に、口金部２２に設けられた凸部２２３を支持バネ３６が係止するので、蛍光ランプ２０の仮保持が可能となり、蛍光ランプ２０の落下に対する安全性が向上する。
【００４５】
なお、本発明の照明器具は、前述した実施形態に限定されるものでなく、適宜な変形，改良等が可能である。
【図面の簡単な説明】
【００４６】
【図１】本発明の実施形態にかかる照明器具の斜視図
【図２】本発明の実施形態にかかる照明器具に蛍光ランプを装着する前の状態を示す斜視図
【図３】ランプソケットの分解斜視図
【図４】蛍光ランプを装着する前状態の正面図および側面図
【図５】（Ａ）はハート型経路の正面図、（Ｂ）は（Ａ）中Ｂ−Ｂ位置の断面図、（Ｃ）は（Ａ）中Ｃ−Ｃ位置の断面図
【図６】（Ａ）および（Ｂ）は蛍光ランプを装着する途中状態の正面図および側面図
【図７】（Ａ）および（Ｂ）は蛍光ランプを装着する途中状態の正面図および側面図
【図８】（Ａ）および（Ｂ）は蛍光ランプを装着する途中状態の正面図および側面図
【図９】（Ａ）および（Ｂ）は蛍光ランプを装着する途中状態の正面図および側面図
【図１０】蛍光ランプの装着が完了した状態を示す正面図および側面図
【図１１】蛍光ランプを取り外す状態を示す正面図および側面図
【図１２】蛍光ランプをランプソケットから外した仮保持状態を示す正面図および側面図
【図１３】（Ａ）従来の照明器具の斜視図、（Ｂ）（Ａ）中Ｂ−Ｂ位置の断面図
【符号の説明】
【００４７】
１０  照明器具
２０  蛍光ランプ
２１  蛍光管
２２  口金部
２２２  側面
２２３  凸部
２３  ランプピン
２４  ハート型経路
２４１  開口部
２４４  係止部
３０  ランプソケット
３３  弾性部材
３５  棒状部材
３５３  係合部（先端部）
３６  支持バネ
３６１  保持部（先端）
【図１】
2010108644.tif 000003
【図２】
2010108644.tif 000004
【図３】
2010108644.tif 000005
【図４】
2010108644.tif 000006
【図５】
2010108644.tif 000007
【図６】
2010108644.tif 000008
【図７】
2010108644.tif 000009
【図８】
2010108644.tif 000010
【図９】
2010108644.tif 000011
【図１０】
2010108644.tif 000012
【図１１】
2010108644.tif 000013
【図１２】
2010108644.tif 000014
【図１３】
2010108644.tif 000015